【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
予め決められた純度の閾値を満たす水素ガスを生産する方法であって、
電気化学的水素ポンプを介して所定量の水素ガス混合物を移動させるステップであって、該電気化学的水素ポンプは、アノード、カソード、および該アノードと該カソードとの間に配置された電解質膜を包含する、ステップ；
該アノードから該電解質膜を介して該カソードに水素ガスを移動させることによって、該水素ガス混合物から所定量の水素ガスを分離するステップ；
該カソードから該水素ガスを収集するステップであって、収集された水素ガスは、少なくとも該予め決められた純度の閾値を満たしている、ステップ；および
該収集された水素ガスが該予め決められた純度の閾値に少なくとも実質的に等しい純度を有することの証明書を作成するステップ
を含む、上記方法。
【請求項２】
前記電解質膜を介した前記カソードへの通過が前記電解質膜によってブロックされた前記水素ガス混合物からの所定量の非水素を、前記アノードから除去するステップ
をさらに含む、請求項１に記載の方法。
【請求項３】
前記収集された水素ガスを消費者に配送するステップ
をさらに含む、請求項１に記載の方法。
【請求項４】
前記予め決められた純度の閾値が、およそ９９％の水素より高い、請求項１に記載の方法。
【請求項５】
前記予め決められた純度の閾値が、およそ３００ｐｐｍの非水素より低い、請求項１に記載の方法。
【請求項６】
前記予め決められた純度の閾値が、およそ５０ｐｐｍの非水素より低い、請求項１に記載の方法。
【請求項７】
予め決められた純度の閾値を満たす水素ガスを提供する方法であって、
電気化学的水素ポンプに、水素ガスと非水素とを含有する第１の量の水素ガス混合物を導入するステップであって、該電気化学的水素ポンプは、アノード、カソード、および該アノードと該カソードとの間に配置された電解質膜を包含する、ステップ；
該水素ガス混合物を該アノードから該電解質膜に向かわせるステップ；
該水素ガスを該電解質膜を介して該カソードに通過させるステップ；
該非水素の該電解質膜通過を実質的に阻止するステップ；
該カソードから該水素ガスを収集するステップであって、収集された水素ガスは、少なくとも該予め決められた純度の閾値を満たしている、ステップ；および
該収集された水素ガスを第２の量の水素ガス混合物と混合するステップであって、該混合により、少なくとも該予め決められた純度の閾値を満たす純度のレベルを有する第３の量の水素ガス混合物が生産される、ステップ
を含む、上記方法。
【請求項８】
前記第３の量の水素ガス混合物が前記予め決められた純度の閾値に少なくとも実質的に等しい純度を有することの認定書を提供するステップをさらに含む、請求項７に記載の方法。
【請求項９】
前記第３の量の水素ガスを消費者に配送するステップをさらに含む、請求項７に記載の方法。
【請求項１０】
前記第１の量の水素ガス混合物および前記第２の量の水素ガス混合物が、両方とも最初に水素ガス混合物の供給源から得られ、ここで前記第１の量および前記第２の量は、前記第１の量が前記電気化学的水素ポンプに導入されるときに分離され、前記第１の量および前記第２の量は、前記混合によって合流される、請求項７に記載の方法。
【請求項１１】
前記収集された水素ガスは、前記第２の量の水素ガス混合物と混合され、前記電解質膜通過が実質的に阻止された前記非水素ガスは、前記第２の量の水素ガス混合物と混合されない、請求項７に記載の方法。
【請求項１２】
前記第２の量の水素ガス混合物と混合された前記収集された水素ガスが、消費者に配送される、請求項１１に記載の方法。
【請求項１３】
前記予め決められた純度の閾値が、およそ９９％の水素より高い、請求項７に記載の方法。
【請求項１４】
前記電気化学的水素ポンプが、およそ２，０００ｐｓｉを超える圧力で作動するように設計されている、請求項７に記載の方法。
【請求項１５】
前記電気化学的水素ポンプが、およそ５，０００ｐｓｉを超える圧力で作動するように設計されている、請求項７に記載の方法。
【請求項１６】
前記電気化学的水素ポンプが、およそ１０，０００ｐｓｉを超える圧力で作動するように設計されている、請求項７に記載の方法。
【請求項１７】
予め決められた純度の閾値を満たす水素ガスを提供する方法であって、
所定量の水素ガスを提供するステップ；
該所定量の水素ガスの第１の部分を、電気化学的水素ポンプに方向転換させるステップであって、該電気化学的水素ポンプは、アノード、カソード、および該アノードと該カソードとの間に配置された電解質膜を包含する、ステップ；
該水素ガスの第１の部分を該アノードから該電解質膜に向かわせるステップ；
該水素ガスの第１の部分を該電解質膜を介して該カソードに通過させるステップ；
該第１の部分中の非水素の該電解質膜通過を実質的に阻止するステップ；および
該電解質膜を通過した該水素ガスの第１の部分を、該電気化学的水素ポンプに方向転換されなかった水素ガスの第２の部分に再導入するステップ
を含む、方法。
【請求項１８】
前記電気化学的水素ポンプを作動させるのに必要な電圧が、前記電解質膜通過が実質的に阻止された非水素の量が増加するにつれて増加する、請求項１７に記載の方法。
【請求項１９】
前記電圧の増加が、前記電解質膜通過が実質的に阻止された前記非水素の量の関数であり、前記電気化学的水素ポンプが、前記電気化学的水素ポンプに方向転換された前記水素ガスの第１の部分が前記予め決められた純度レベルを下回るかどうかを検出するように較正される、請求項１８に記載の方法。
【請求項２０】
前記電解質膜を通過した前記水素ガスの第１の部分と、前記電気化学的水素ポンプに方向転換されなかった前記水素ガスの第２の部分とを消費者に配送するステップをさらに含む、請求項１７に記載の方法。
【請求項２１】
前記電気化学的水素ポンプが、制御器をさらに包含し、前記方法が、前記電気化学的水素ポンプに方向転換された前記水素ガスの第１の部分が予め決められた純度レベルを下回ることが該制御器によって検出される場合、水素ガスの前記消費者への配送を止めるステップをさらに含む、請求項２０に記載の方法。
【請求項２２】
前記消費者に配送される前記水素ガスが前記予め決められた純度の閾値に少なくとも実質的に等しい純度を有することの認定書を作成するステップをさらに含む、請求項２１に記載の方法。
【請求項２３】
前記所定量の水素ガスの前記第１の部分の一部を測定デバイスに送るステップであって、該測定デバイスは、前記水素ガスの純度レベルを測定するように設計されている、ステップをさらに含む、請求項１７に記載の方法。
【請求項２４】
前記第１の部分の一部が、前記電気化学的水素ポンプの前記アノードから前記測定デバイスに送られる、請求項２３に記載の方法。
【請求項２５】
前記電気化学的水素ポンプが、およそ２，０００ｐｓｉを超える圧力で作動するように設計されている、請求項１７に記載の方法。
【請求項２６】
前記電気化学的水素ポンプが、およそ５，０００ｐｓｉを超える圧力で作動するように設計されている、請求項１７に記載の方法。
【請求項２７】
前記電気化学的水素ポンプが、およそ１０，０００ｐｓｉを超える圧力で作動するように設計されている、請求項１７に記載の方法。
【請求項２８】
予め決められた純度の閾値を満たす水素ガスを提供する方法であって、
電気化学的水素ポンプに、水素ガスと非水素ガスとを含有する所定量の水素ガス混合物を導入するステップであって、該電気化学的水素ポンプは、アノード、カソード、および該アノードと該カソードとの間に配置された電解質膜を包含する、ステップ；
該水素ガス混合物を該アノードから該電解質膜に向かわせるステップ；
該水素ガスを該電解質膜を介して該カソードに通過させるステップ；
該非水素ガスの該電解質膜通過を実質的に阻止するステップ；
該カソードから該水素ガスを収集するステップであって、該収集された水素ガスは、少なくとも該予め決められた純度の閾値を満たしている、ステップ；および
該収集された水素ガスが該予め決められた純度の閾値に少なくとも実質的に等しい純度を有することの認定書を提供するステップ
を含む、上記方法。
【請求項２９】
前記電気化学的水素ポンプが、およそ５，０００ｐｓｉを超える圧力で作動するように設計されている、請求項２８に記載の方法。
【請求項３０】
前記電気化学的水素ポンプが、およそ１０，０００ｐｓｉを超える圧力で作動するように設計されている、請求項２８に記載の方法。